(57)【特許請求の範囲】
【請求項１】
複数の低速な信号を供給され、前記複数の低速な信号を１本の高速な電気信号に多重化し、光信号として出力する端局装置において、
前記光信号の波長値データの一部を構成する下４桁の数字を１０進数から２進数に変換し、２進数に変換された前記光信号の波長値データの一部を前記１本の高速な電気信号に挿入することを特徴とする端局装置。
【請求項２】
光信号が供給され、前記光信号を１本の高速な電気信号に変換し、前記１本の高速な電気信号を複数の低速な信号に分離して出力する端局装置において、
前記１本の高速な電気信号から前記光信号の波長値データの一部を検出し、前記光信号の波長値データの一部を２進数から１０進数に変換して前記光信号の波長値データの一部を構成する下４桁の数字を算出し、前記光信号の波長値データの一部を構成する下４桁の数字と、予め保持している前記光信号の波長値データの一部を構成する下４桁以外の数字とから前記光信号の波長データを生成することを特徴とする端局装置。
【請求項３】
前記光信号の波長値データを未使用データ部分に挿入することを特徴とする請求項１記載の端局装置。
【請求項４】
前記生成された波長値データと予め設定されている波長値データとを比較して、接続状態を監視することを特徴とする請求項２記載の端局装置。
【請求項５】
夫々が異なる波長値を有する複数の光信号を多重して、１本の光ファイバで伝送する波長多重伝送装置において、
前記複数の光信号が夫々有する波長値を夫々表した波長値データとして、前記光信号の波長値データの一部を構成する下４桁の数字を１０進数から２進数に変換し、２進数に変換された前記光信号の波長値データの一部を前記光ファイバで伝送するデータ信号と併せて伝送することを特徴とする波長多重伝送装置。
【請求項６】
前記２進数に変換された前記光信号の波長値データの一部を前記光ファイバで伝送するデータ信号の未使用データ部分に挿入することを特徴とする請求項５記載の波長多重伝送装置。
【請求項７】
夫々が異なる波長値を有する複数の光信号を多重して、１本の光ファイバで伝送する波長多重伝送装置において、
複数の低速な電気信号を供給され、前記複数の低速な電気信号を１本の高速な電気信号に多重化し、且つ、前記複数の光信号が夫々有する波長値を夫々表した波長値データとして、前記光信号の波長値データの一部を構成する下４桁の数字を１０進数から２進数に変換し、２進数に変換された前記光信号の波長値データの一部を前記１本の高速な電気信号に挿入し、前記２進数に変換された前記光信号の波長値データの一部を挿入した１本の高速な電気信号を光信号に変換して出力する複数の送信側端局装置と、
前記複数の送信側端局装置より出力される波長値が夫々異なる光信号が入力され、前記波長値が夫々異なる光信号を多重して出力する光合波器と、
前記多重された光信号が入力され、前記多重された光信号を分離して前記波長値が夫々異なる光信号を出力する光分波器と、
前記波長値が夫々異なる光信号を供給され、前記波長値が夫々異なる光信号を１本の高速な電気信号に変換し、前記１本の高速な電気信号を前記複数の低速な電気信号と前記光信号の波長値データの一部とに分離し、前記光信号の波長値データの一部を２進数から１０進数に変換して前記光信号の波長値データの一部を構成する下４桁の数字を算出し、前記光信号の波長値データの一部を構成する下４桁の数字と、予め保持している前記光信号の波長値データの一部を構成する下４桁以外の数字とから前記光信号の波長データを生成する複数の受信側端局装置と
で構成されることを特徴とする波長多重伝送システム。
【請求項８】
夫々が異なる波長値を有する複数の光信号を多重して、１本の光ファイバで伝送する波長多重伝送方法において、
複数の低速な電気信号を供給され、前記複数の低速な電気信号を１本の高速な電気信号に多重化し、且つ、前記複数の光信号が夫々有する波長値を夫々表した波長値データとして、前記光信号の波長値データの一部を構成する下４桁の数字を１０進数から２進数に変換し、２進数に変換された前記光信号の波長値データの一部を前記１本の高速な電気信号に挿入し、前記２進数に変換された前記光信号の波長値データの一部を挿入した１本の高速な電気信号を光信号に変換して出力する工程と、
前記工程により出力される波長値が夫々異なる光信号が入力され、前記波長値が夫々異なる光信号を多重して出力する工程と、
前記多重された光信号が入力され、前記多重された光信号を分離して前記波長値が夫々異なる光信号を出力する工程と、
前記波長値が夫々異なる光信号を供給され、前記波長値が夫々異なる光信号を１本の高速な電気信号に変換し、前記１本の高速な電気信号を前記複数の低速な電気信号と前記光信号の波長値データの一部とに分離し、前記光信号の波長値データの一部を２進数から１０進数に変換して前記光信号の波長値データの一部を構成する下４桁の数字を算出し、前記光信号の波長値データの一部を構成する下４桁の数字と、予め保持している前記光信号の波長値データの一部を構成する下４桁以外の数字とから前記光信号の波長データを生成する工程とで構成されることを特徴とする波長多重伝送方法。
【発明の詳細な説明】
【０００１】
【発明の属する技術分野】
本発明は、波長識別機能に係り、特に、光通信システムの波長多重伝送方式に利用する波長識別機能を有する波長多重伝送装置及び方法並びに波長多重伝送システムに関する。
【０００２】
【従来の技術】
近年、通信需要の急激な増大に伴い、通信回線の増設が頻繁に行われている。しかし、光ファイバケーブルの増設工事には膨大な費用が必要であるために、既設の光ファイバケーブルを有効に利用することができ、多重度を上げることで回線容量を増加させることが可能な波長多重伝送（ＷＤＭ：ＷａｖｅｌｅｎｇｔｈＤｉｖｉｓｉｏｎ  Ｍｕｌｔｉｐｌｅｘ）方式が主流となりつつある。近年では、波長多重伝送方式は４波，８波，１６波多重及び３２波多重が実用化されている。
【０００３】
図１に波長多重伝送システム（４波多重）の一例のプロック図を示す。端局装置（以下、ＬＴＥという）は、低速なデータ信号ＳＴＭ−Ｍを４本入力され、図２を使用して後述する方法により、４本の低速なデータ信号ＳＴＭ−Ｍを所定の波長を持つ１本の高速な光信号ＳＴＭ−Ｎに多重する。
ＬＴＥ１１は、４本の低速なデータ信号ＳＴＭ−Ｍ＃１〜＃４を１本の高速な光信号ＳＴＭ−Ｎに多重し、光カプラ１５に波長λ１を持つ１本の高速な光信号ＳＴＭ−Ｎを供給する。同様に、ＬＴＥ１２〜１４も波長λ２〜λ４を持つＳＴＭ−Ｎ信号を夫々出力して光カプラ１５に供給する。
【０００４】
波長λ１〜λ４は、図３に示す様な波長構成を用いるのが一般的である。図３は、波長多重伝送方式における一例の波長構成図である。図３に示すように、λ１を１５４８．５１（ｎｍ），λ２を１５５１．７２（ｎｍ），λ３を１５５４．９４（ｎｍ），λ４を１５５８．１７（ｎｍ）とすることで波長多重伝送が実現でき、さらに、図３に示すような波長を持つ高速な光信号ＳＴＭ−Ｎ信号を使用することで８波多重及び１６波多重も同じ様に実現できる。
【０００５】
図１に戻り説明を続けると、光カプラ１５は、ＬＴＥ１１〜１４から夫々供給された波長の異なる４本の高速な光信号ＳＴＭ−Ｎを合波して光ファイバ１６に出力し、光ファイバ１６を介して光カプラ１７に供給する。
光カプラ１７は、光ファイバ１５を介して供給される合波されたＳＴＭ−Ｎ信号を分波して、波長の異なる４本の高速な光信号ＳＴＭ−Ｎ信号に戻し、ＬＴＥ１８に波長λ１を持つ高速な光信号ＳＴＭ−Ｎ信号を供給する。同様に、光カプラ１７は、ＬＴＥ１９〜２１に波長λ２〜λ４を持つ高速な光信号ＳＴＭ−Ｎ信号を夫々供給する。
【０００６】
ＬＴＥ１８は、波長λ１を持つ１本の高速な光信号ＳＴＭ−Ｎを入力され、図２を使用して後述する方法により、波長λ１を持つ１本の高速な光信号ＳＴＭ−Ｎを４本の低速なデータ信号ＳＴＭ−Ｍに分離する。ＬＴＥ１８は、波長λ１を持つ１本の高速な光信号ＳＴＭ−Ｎを４本の低速なデータ信号ＳＴＭ−Ｍに分離し、分離された４本の低速なデータ信号ＳＴＭ−Ｍを出力する。同様に、ＬＴＥ１９〜２１も波長λ２〜λ４を持つ１本の高速な光信号ＳＴＭ−Ｎを夫々４本の低速なデータ信号ＳＴＭ−Ｍに分離して出力する。
【０００７】
次に、図２を利用してＬＴＥの詳細な説明を行う。図２は、ＬＴＥの一例のブロック図を示す。ＬＴＥ１１は、４本の低速なデータ信号ＳＴＭ−Ｍ＃１〜＃４を外部から受取り、インターフェース部２５〜２８を介して多重部（以下、ＭＵＸという）２９に４本の低速なデータ信号を出力する。また、ＭＵＸ２９は、４本の低速なデータ信号ＳＴＭ−Ｍの他に、通信装置間の保守情報のやりとりを行うＯＨＢ（Ｏｖｅｒ  Ｈｅａｄ  Ｂｉｔ又はＯｖｅｒ  Ｈｅａｄ  Ｂｙｔｅ）データをシステムコントローラ３０から供給される。
【０００８】
なお、システムコントローラ３０はローカルターミナル３３又はＮＭＳ（Ｎｅｔｗｏｒｋ  Ｍａｎａｇｅｍｅｎｔ  Ｓｙｓｔｅｍ）２２に接続されるＷＳ（Ｗｏｒｋ  Ｓｔａｔｉｏｎ）等のリモートターミナル２３により各種制御が行われる。リモートターミナル２３は、遠隔地からのリモート保守を可能とする。
ＭＵＸ２９は、供給された４本の低速なデータ信号ＳＴＭ−Ｍを１本の高速なデータ信号に多重した後で、ＯＨＢデータを多重した高速なデータ信号に挿入する。ＭＵＸ２９は、ＯＨＢデータが挿入された１本の高速なデータ信号を電気／光変換部（Ｅ／Ｏ）３４に供給する。
【０００９】
電気／光変換部３４は、供給された電気信号を光信号に変換して出力する。なお、図２において図示は省略するが、電気／光変換部３４から出力される光信号は、波長多重伝送システム方式の場合、図１に示すように光カプラ１５に供給され、複数の光信号が合波されて光ファイバ１６により伝送される。その後、光ファイバ１６から光信号が光カプラ１７に供給され、光カプラ１７は合波されている光信号を分波して、光／電気変換部（Ｏ／Ｅ）３６に光信号を供給する。
【００１０】
光／電気変換部３６は、供給された光信号を高速なデータ信号に変換して分離部（以下、ＤＭＵＸという）３７に供給する。ＤＭＵＸ３７は、供給された高速なデータ信号を４本の低速なデータ信号ＳＴＭ−Ｍ＃１〜＃４と、通信装置間の保守情報のやりとりを行うＯＨＢデータとに分離して、４本の低速なデータ信号ＳＴＭ−Ｍ＃１〜＃４をインターフェース部４３〜４６を介して外部に出力し、通信装置間の保守情報のやりとりを行うＯＨＢデータをシステムコントローラ３８に供給する。なお、システムコントローラ３８はローカルターミナル４２又はＮＭＳ２２に接続されるＷＳ等のリモートターミナル２３により各種制御が行われる。
【００１１】
ここで、波長多重伝送において、通信装置間の保守情報のやりとりがＯＨＢデータを用いてどのように行われているかについて説明する。波長多重伝送は、例えば、ＩＴＵ−Ｔで勧告している同期多重方式の国際標準規格であるＳＤＨ（Ｓｙｎｃｈｒｏｎｏｕｓ  Ｄｉｇｉｔａｌ  Ｈｉｅｒａｒｃｈｙ）に対応したＳＤＨ光通信システムに使用される。ＳＤＨ光通信システムは、通信装置間の保守情報のやりとりをＳＤＨの基本となる多重単位のＳＴＭ−Ｎ（Ｓｙｎｃｈｒｏｎｏｕｓ  Ｔｒａｎｓｆｅｒ  Ｍｏｄｕｌｅ）フレーム中に用意されているＯＨＢ（Ｏｖｅｒ  Ｈｅａｄ  Ｂｉｔ）を用いて行われており、各ＯＨＢの使用方法が定められている。
【００１２】
通常、ＳＤＨ光通信システムの装置間の最小管理区間はセクション（Ｓｅｃｔｉｏｎ）と呼ばれ、これを管理するためのＯＨＢをＲＳＯＨ（Ｒｅｇ．Ｓｅｃｔｉｏｎ  Ｏｖｅｒ  Ｈｅａｄ）と呼んでいる。従来、このＲＳＯＨは、Ｊ０バイトと呼ばれるＳｅｃｔｉｏｎ間の管理を行う機能であるセクショントレース（Ｓｅｃｔｉｏｎ  Ｔｒａｃｅ）機能があり、このセクショントレース機能により通信している信号が何処から送信されいるか等の照合を行っている。
【００１３】
ここで、セクショントレース機能について図４を用いて説明する。図４は、セクショントレース（Ｊ０バイト）機能の一例の説明図を示す。送信側Ａ局５０は、図１及び図３を利用して説明したような処理によりＬＴＥ１１〜１４で生成される波長λ１〜λ４を持つ光信号を光カプラ１５で合波して、受信側Ｂ局５１に供給している。
【００１４】
この場合、送信側Ａ局５０と受信側Ｂ局５１との間がセクションであり、セクショントレース（Ｊ０バイト）はこのセクションを国番号・局舎名・送信装置名等のデータを伝送することで管理している。
【００１５】
【発明が解決しようとする課題】
しかしながら、セクショントレース機能は、通信している信号が何処から送信されているか等の情報を示すものであり、一本の光ファイバで複数波長の信号を多重して伝送する波長多重伝送方式の場合、その複数波長の信号のセクショントレース（Ｊ０バイト）が全て同じである。したがって、波長多重伝送方式で送信された複数波長の信号は、セクショントレース機能を用いて信号毎に照合を行うことができず、スペクトラムアナライザ等の測定器を用いて波長値を測定することにより信号毎に照合を行わなければならず大変煩雑な作業となるという問題がある。
【００１６】
また、波長多重伝送方式においては、多重数の増加に伴いその波長が近接していくため、波長接続を誤ると正しい信号を受信できないばかりか、受信装置の受信性能によっては誤った信号を受信する可能性もあるという問題がある。さらに、波長多重伝送方式の多重数の増加に伴い一本の光ファイバで複数波長の信号を多重して伝送することにより、利用状況等の波長管理が複雑になるという問題がある。
【００１７】
本発明は、上記の点に鑑みなされたもので、波長多重伝送方式で送信された複数波長の信号を夫々照合することが可能であり、波長管理を容易に行うことが可能である波長多重伝送装置及び方法並びに波長多重伝送システムを提供することを目的とする。
【００１８】
【課題を解決するための手段】
そこで、上記課題を解決するため、請求項１記載の本発明は、複数の低速な信号を供給され、前記複数の低速な信号を１本の高速な電気信号に多重化し、光信号として出力する端局装置において、前記光信号の波長値データの一部を構成する下４桁の数字を１０進数から２進数に変換し、２進数に変換された前記光信号の波長値データの一部を前記１本の高速な電気信号に挿入することを特徴とする。
【００１９】
このように、光信号の波長値データを出力データに挿入することで、受信側で光信号の波長値データを容易に確認することが可能となる。
また、請求項２記載の本発明は、光信号が供給され、前記光信号を１本の高速な電気信号に変換し、前記１本の高速な電気信号を複数の低速な信号に分離して出力する端局装置において、前記１本の高速な電気信号から前記光信号の波長値データの一部を検出し、前記光信号の波長値データの一部を２進数から１０進数に変換して前記光信号の波長値データの一部を構成する下４桁の数字を算出し、前記光信号の波長値データの一部を構成する下４桁の数字と、予め保持している前記光信号の波長値データの一部を構成する下４桁以外の数字とから前記光信号の波長データを生成することを特徴とする。
【００２０】
このように、光信号の波長値データを供給される光信号から検出することで、受信側で光信号の波長値データを容易に確認し、光ケーブル等の誤接続を回避することができる。
また、請求項３記載の本発明は、前記光信号の波長値データを未使用データ部分に挿入することを特徴とする。
【００２１】
このように、光信号の波長値データを未使用データ部分に挿入することにより、他のデータ部分に影響を与えることなく光信号の波長値データの送信が可能となる。
また、請求項４記載の本発明は、前記生成された波長値データと予め設定されている波長値データとを比較して、接続状態を監視することを特徴とする。
【００２２】
このように、生成された波長値データと、予め設定されている波長値データとを比較することで、光ケーブル等の誤接続を容易に検出することができる。
また、請求項５記載の本発明は、夫々が異なる波長値を有する複数の光信号を多重して、１本の光ファイバで伝送する波長多重伝送装置において、前記複数の光信号が夫々有する波長値を夫々表した波長値データとして、前記光信号の波長値データの一部を構成する下４桁の数字を１０進数から２進数に変換し、２進数に変換された前記光信号の波長値データの一部を前記光ファイバで伝送するデータ信号と併せて伝送することを特徴とする。
【００２３】
このように、複数の光信号が夫々有する波長値を波長値データとして光ファイバで伝送するデータ信号と併せて伝送することで、受信側で複数の光信号が夫々有する波長値データを容易に確認し、光ケーブル等の誤接続を回避することができる。
また、請求項６記載の本発明は、前記２進数に変換された前記光信号の波長値データの一部を前記光ファイバで伝送するデータ信号の未使用データ部分に挿入することを特徴とする。
【００２４】
このように、複数の光信号が夫々有する波長値データを光ファイバで伝送するデータ信号の未使用データ部分に挿入することにより、他のデータ部分に影響を与えることなく光信号の波長値データの送信が可能となる。
また、請求項７記載の本発明は、夫々が異なる波長値を有する複数の光信号を多重して、１本の光ファイバで伝送する波長多重伝送装置において、複数の低速な電気信号を供給され、前記複数の低速な電気信号を１本の高速な電気信号に多重化し、且つ、前記複数の光信号が夫々有する波長値を夫々表した波長値データとして、前記光信号の波長値データの一部を構成する下４桁の数字を１０進数から２進数に変換し、２進数に変換された前記光信号の波長値データの一部を前記１本の高速な電気信号に挿入し、前記２進数に変換された前記光信号の波長値データの一部を挿入した１本の高速な電気信号を光信号に変換して出力する複数の送信側端局装置と、前記複数の送信側端局装置より出力される波長値が夫々異なる光信号が入力され、前記波長値が夫々異なる光信号を多重して出力する光合波器と、前記多重された光信号が入力され、前記多重された光信号を分離して前記波長値が夫々異なる光信号を出力する光分波器と、前記波長値が夫々異なる光信号を供給され、前記波長値が夫々異なる光信号を１本の高速な電気信号に変換し、前記１本の高速な電気信号を前記複数の低速な電気信号と前記光信号の波長値データの一部とに分離し、前記光信号の波長値データの一部を２進数から１０進数に変換して前記光信号の波長値データの一部を構成する下４桁の数字を算出し、前記光信号の波長値データの一部を構成する下４桁の数字と、予め保持している前記光信号の波長値データの一部を構成する下４桁以外の数字とから前記光信号の波長データを生成する複数の受信側端局装置とで構成されることを特徴とする。
【００２５】
このように、送信側端局装置で電気信号から光信号に変換される信号に前記光信号の波長値データを挿入して出力し、受信側で挿入された波長値データを検出することで、受信側で光信号の波長値データを容易に確認でき、光ケーブル等の誤接続を回避することができ、光信号の波長管理が可能となる。
また、請求項８記載の本発明は、夫々が異なる波長値を有する複数の光信号を多重して、１本の光ファイバで伝送する波長多重伝送方法において、複数の低速な電気信号を供給され、前記複数の低速な電気信号を１本の高速な電気信号に多重化し、且つ、前記複数の光信号が夫々有する波長値を夫々表した波長値データとして、前記光信号の波長値データの一部を構成する下４桁の数字を１０進数から２進数に変換し、２進数に変換された前記光信号の波長値データの一部を前記１本の高速な電気信号に挿入し、前記２進数に変換された前記光信号の波長値データの一部を挿入した１本の高速な電気信号を光信号に変換して出力する工程と、前記工程により出力される波長値が夫々異なる光信号が入力され、前記波長値が夫々異なる光信号を多重して出力する工程と、前記多重された光信号が入力され、前記多重された光信号を分離して前記波長値が夫々異なる光信号を出力する工程と、前記波長値が夫々異なる光信号を供給され、前記波長値が夫々異なる光信号を１本の高速な電気信号に変換し、前記１本の高速な電気信号を前記複数の低速な電気信号と前記光信号の波長値データの一部とに分離し、前記光信号の波長値データの一部を２進数から１０進数に変換して前記光信号の波長値データの一部を構成する下４桁の数字を算出し、前記光信号の波長値データの一部を構成する下４桁の数字と、予め保持している前記光信号の波長値データの一部を構成する下４桁以外の数字とから前記光信号の波長データを生成する工程とで構成されることを特徴とする。
【００２６】
このように、送信側端局装置で電気信号から光信号に変換される信号に前記光信号の波長値データを挿入して出力する工程と、受信側で挿入された波長値データを検出する工程とを有することで、受信側で光信号の波長値データを容易に確認でき、光ケーブル等の誤接続を回避することができ、光信号の波長管理が可能となる。
【００２７】
【発明の実施の形態】
次に、本発明の波長識別機能を有する波長多重伝送装置及び方法並びに波長多重伝送システムに関する本発明の実施例を図面に基づいて説明する。
図５は、本発明の波長識別機能を有するＬＴＥの一実施例のブロック図を示す。ＬＴＥ６１は、４本の低速なデータ信号ＳＴＭ−Ｍ＃１〜＃４を外部から受取り、インターフェース部６２〜６５を介して多重部（以下、ＭＵＸという）６６に４本の低速なデータ信号を出力する。また、ＭＵＸ６６は、４本の低速なデータ信号ＳＴＭ−Ｍ＃１〜＃４の他に、システムコントローラ６７から通信装置間の保守情報のやりとりを行うＯＨＢ（Ｏｖｅｒ  Ｈｅａｄ  Ｂｉｔ）データが供給される。本発明では、このＯＨＢデータの中に波長多重伝送を行う光信号の波長を示す波長値データを挿入することを考える。
【００２８】
ここで、図６〜図８を利用して、システムコントローラ６７からＭＵＸ６６に供給するＯＨＢデータの中に波長多重伝送を行う光信号の波長を示す波長値データを挿入する方法について説明する。図６は、セクショントレース（Ｊ０バイト）に波長値データを挿入する場合の一例のバイト配列図を示す。図６（Ａ）は、セクショントレースに波長値データを挿入しないときのバイト配列図を示し、図６（Ｂ）は、セクショントレースに波長値データを挿入したときのバイト配列図を示す。
【００２９】
セクショントレース（Ｊ０バイト）は、セクション間における送信側装置と受信側装置との相互接続が区別できるよう、Ｓ−ＡＰＩｓ（Ｓｅｃｔｉｏｎ  Ａｃｃｅｓｓ  Ｐｏｉｎｔ  Ｉｎｄｅｎｔｉｆｉｅｒ）を伝送している。Ｓ−ＡＰＩｓは、２通りの仕様があるが、一例として１６バイトフレームによるメッセージの連続送信に波長値データを挿入する。
【００３０】
図６（Ａ），（Ｂ）に示すように、スタートビットで１バイト、国番号で３バイトを使用する場合、図６（Ａ）はセクション識別のために１２バイト使用できるのに対し、図６（Ｂ）は波長値データに７バイト使用するため、セクション識別のために４バイトしか使用できない。よって、波長値データを挿入することにより、本来セクショントレース（Ｊ０バイト）で伝送したい情報が制限され、不都合が生じる可能性がある。
【００３１】
そこで、セクショントレース以外に波長値データを挿入することを考えた。図７は、ＯＨＢの一例の構成図を示す。ＯＨＢは、９バイト×９列のデータで構成されており、データのいくつかは図７にバツ印で示されるように未使用（未定義）バイトとなっている。この未使用バイトに波長値データを挿入する。本実施例では、一実施例としてＪ０バイトの右隣の２バイト分の未使用バイト８５，８６に波長値データを挿入する。
【００３２】
図８は、本発明の波長値データをＯＨＢに挿入する方法の一実施例の説明図を示す。図８（Ａ）は、波長値データを符号化する方法を示し、図８（Ｂ）は符号化された波長値データをＯＨＢに挿入するときのビット配列を示す。例えば、波長多重用の信号源として１．５５μ帯のレーザ光源を考えると、通常各波長の値は下４桁で識別することができるので、下４桁の０〜９の任意の数字をａ，ｂ，ｃ，ｄとおくと、波長値データを以下の式（１）で表せる。
【００３３】
λｎ＝１５ａｂ．ｃｄ（ｎｍ）・・・・・  （１）
下４桁の数字をバイナリ表示に変換すると、夫々の数字は４ビットで表すことができるので、下４桁の数字を１６ビットで表すことができる。図８（Ｂ）に示すように、符号化された波長値データａ，ｂをＪ０バイトの＃２に挿入し、符号化された波長値データｃ，ｄをＪ０バイトの＃３に挿入する。このように、波長値データをＯＨＢに挿入する。
【００３４】
再び、図５に戻って説明を続けると、波長値データは、ローカルターミナル６９から送信側波長値設定部６８に供給される。送信側波長値設定部６８は、供給された波長値データを上記のように符号化して、システムコントローラ６７に符号化された波長値データを供給する。システムコントローラ６７は、通信装置間の保守情報のやりとりを行う波長値データを含むＯＨＢをＭＵＸ６６に供給する。なお、システムコントローラ６７はローカルターミナル６８により各種制御が行われる。
【００３５】
ＭＵＸ６６は、供給された４本の低速なデータ信号ＳＴＭ−Ｍ＃１〜＃４を１本の高速なデータ信号に多重した後で、ＯＨＢデータを高速なデータ信号に挿入する。ＭＵＸ６６は、ＯＨＢデータが挿入された１本の高速なデータ信号を電気／光変換部（Ｅ／Ｏ）７０に供給する。
電気／光変換部７０は、供給された１本の高速なデータ信号を光信号ＳＴＭ−Ｎに変換して出力する。なお、図５において図示は省略するが、電気／光変換部７０から出力される光信号ＳＴＭ−Ｎは、波長多重伝送システム方式の場合、図１に示すように光カプラ１５に供給され、複数の光信号が合波されて光ファイバ１６により伝送される。その後、光ファイバ１６から光信号が光カプラ１７に供給され、光カプラ１７は合波されている光信号を分波して、光／電気変換部（Ｏ／Ｅ）７２に光信号ＳＴＭ−Ｎを供給する。
【００３６】
光／電気変換部７２は、供給された光信号ＳＴＭ−Ｎを高速なデータ信号に変換して分離部（以下、ＤＭＵＸという）７３に供給する。ＤＭＵＸ７３は、供給された高速なデータ信号を４本の低速なデータ信号ＳＴＭ−Ｍ＃１〜＃４と、通信装置間の保守情報のやりとりを行うＯＨＢデータとに分離して、４本の低速なデータ信号ＳＴＭ−Ｍ＃１〜＃４をインターフェース部７８〜８１を介して外部に出力し、通信装置間の保守情報のやりとりを行うＯＨＢデータをシステムコントローラ７４に供給する。なお、システムコントローラ７４はローカルターミナル７７により各種制御が行われる。
【００３７】
システムコントローラ７４は、供給されたＯＨＢデータから符号化された波長値データを検出し、受信側波長値監視部７５及び波長値期待値照合部７６に供給する。受信側波長値監視部７５及び波長値期待値照合部７６は、供給された符号化された波長データから送信側のＬＴＥ６１の逆の処理を行うことにより波長値データを生成する。
【００３８】
受信側波長値監視部７５は、波長値データの外部への表示及び通知を行い、波長値期待値照合部７６は、予めローカルターミナル７７で設定されている受信信号の波長値データの期待値と、生成された波長値データとを照合して、正常に目的の信号が接続されているか否かを判断している。
システムコントローラ７４は、正常に目的の信号が接続されていると判断すると正常処理を行い、正常に目的の信号が接続されていないと判断すると異常処理を行い、警報処理や外部への警報転送を行う。
【００３９】
以上、本実施例では、送信側波長値設定部６８，受信側波長値監視部７５及び波長値期待値照合部７６をシステムコントローラ６７，７７と別な構成としたが、システムコントローラ６７，７７で送信側波長値設定部６８，受信側波長値監視部７５及び波長値期待値照合部７６の処理を行っても良い。
したがって、本発明によれば、予め設定されている波長値データの期待値と、生成された波長値データとの照合が波長値期待値照合部７６で行われるために、ＬＴＥと光ファイバとの接続の確認が容易である。
【００４０】
また、受信側波長値監視部７５は、生成された波長値データを外部に表示・通知を行うことが可能なので、回線の施設工事や増設工事の際にも受信波長をモニタすることにより作業性が向上する。
また、セクショントレース（Ｊ０バイト）と波長値データとを夫々別のＯＨＢで伝送することにより、情報の処理と管理とを容易にすることができる。すなわち、波長多重伝送システムと波長多重伝送システムではない単一波長伝送システムとが混在するネットワークシステムでは、夫々に共通なセクション情報は、セクショントレースで伝送し、波長多重伝送システムにだけ必要な波長情報は別のＯＨＢを使用することにより、情報の管理を容易に行うことができる。また、波長情報が不要な時には、該当するＯＨＢに波長未定義コードを挿入すれば良い。
【００４１】
また、国際間及び他社との対向接続時における波長値の照合に、各キャリアによって独自表示であるセクショントレース（Ｊ０バイト）でなく、未使用（未定義）ビットにより統一された波長値情報の表示を行うことは、将来の多重波長数の増加や光ファイバの増加、煩雑さに対応するために有効な機能である。
さらに、将来の技術革新により従来の光学系による光カプラが電子化され、外部制御による光波長値の選択が可能になれば、本発明により受信した波長値情報で目的の波長を自動的に選択することができ、光ファイバの接続変更が不要となる。
【００４２】
【発明の効果】
上述の如く、本発明の請求項１記載の発明によれば、光信号の波長値データを出力データに挿入することで、受信側で光信号の波長値データを容易に確認することが可能となる。
また、請求項２記載の本発明によれば、光信号の波長値データを供給される光信号から検出することで、受信側で光信号の波長値データを容易に確認し、光ケーブル等の誤接続を回避することができる。
【００４３】
また、請求項３記載の本発明によれば、光信号の波長値データを未使用データ部分に挿入することにより、他のデータ部分に影響を与えることなく光信号の波長値データの送信が可能となる。
また、請求項４記載の本発明によれば、検出された波長値データと、予め設定されている波長値データとを比較することで、光ケーブル等の誤接続を容易に検出することができる。
【００４４】
また、請求項５記載の本発明によれば、複数の光信号が夫々有する波長値を波長値データとして光ファイバで伝送するデータ信号と併せて伝送することで、受信側で複数の光信号が夫々有する波長値データを容易に確認し、光ケーブル等の誤接続を回避することができる。
また、請求項６記載の本発明によれば、複数の光信号が夫々有する波長値データを光ファイバで伝送するデータ信号の未使用データ部分に挿入することにより、他のデータ部分に影響を与えることなく光信号の波長値データの送信が可能となる。
【００４５】
また、請求項７記載の本発明によれば、送信側端局装置で電気信号から光信号に変換される信号に前記光信号の波長値データを挿入して出力し、受信側で挿入された波長値データを検出することで、受信側で光信号の波長値データを容易に確認でき、光ケーブル等の誤接続を回避することができ、光信号の波長管理が可能となる。
【００４６】
また、請求項８記載の本発明によれば、送信側端局装置で電気信号から光信号に変換される信号に前記光信号の波長値データを挿入して出力する工程と、受信側で挿入された波長値データを検出する工程とを有することで、受信側で光信号の波長値データを容易に確認でき、光ケーブル等の誤接続を回避することができ、光信号の波長管理が可能となる。
【図面の簡単な説明】
【図１】波長多重伝送システム（４波多重）の一例のブロック図である。
【図２】ＬＴＥの一例のブロック図である。
【図３】波長多重伝送方式における一例の波長構成図である。
【図４】セクショントレース（Ｊ０バイト）機能の一例の説明図である。
【図５】本発明の波長識別機能を有するＬＴＥの一実施例のブロック図である。
【図６】セクショントレース（Ｊ０バイト）に波長値データを挿入する場合の一例のバイト配列図である。
【図７】ＯＨＢの一例の構成図である。
【図８】本発明の波長値データをＯＨＢに挿入する方法の一実施例の説明図である。
【符号の説明】
１１〜１４，１８〜２１，６１  ，７１    ＬＴＥ
１５，１７  光カプラ
１６    光ケーブル
２５〜２８，４３〜４６，６２〜６５，７８〜８１    インターフェース部
２９，６６    ＭＵＸ部
２２  ＮＭＳ
２３  リモートターミナル
３０，３８，６７，７４    システムコントローラ
６８    送信側波長値設定部
３３，４２，６９，７７    ローカルターミナル
３４，７０    電気／光変換部
３６，７２    光／電気変換部
３７，７３    ＤＭＵＸ部
７５    受信側波長値監視部
７６    波長値期待値照合部
８５，８６    未使用（未定義）バイト
【図１】
0003585735.tif 000002
【図２】
0003585735.tif 000003
【図３】
0003585735.tif 000004
【図４】
0003585735.tif 000005
【図５】
0003585735.tif 000006
【図６】
0003585735.tif 000007
【図７】
0003585735.tif 000008
【図８】
0003585735.tif 000009